(57)【要約】【課題】封筒の再湿糊に水を塗布して封緘する封緘装置において、乾燥した吸水部を短時間でむらなく均等に水で湿潤させる。【解決手段】水タンク４内に配置されたパッド６は封筒の再湿糊に上端部２０が接触する水塗布位置（図６）と下方の水吸収位置（図７）との間で移動自在である。水位が所定値未満であることを水位センサ５が検出すると、パッド６が水塗布位置にある状態で水タンク４に水を規定位置まで補給し、その後、パッド６を上端面を除いて水吸収位置に設定する。所定時間経過後、パッド６を水塗布位置に戻す。パッド６が水に浸漬している時間を正確に管理でき、パッド６の湿潤状態は規定の状態になる。上端面２０に過剰な水が付くこともない。【選択図】図６
2015117050.tif 000002
【特許請求の範囲】
【請求項１】
必要に応じて水が供給される水タンクと、
前記水タンク内に配置されて一部が水に浸漬されるとともに水面よりも上方に位置する上端部に封筒の再湿糊を接触させて水を塗布するパッドと、
前記前記水タンクに設けられて前記水タンク内の水位を検出する水位センサと、
封筒の再湿糊に前記上端部を接触させる水塗布位置と、前記水タンクの水に前記上端部を除いて浸漬される水吸収位置との間で、前記パッドを前記水タンクに対して相対的に移動させる移動機構と、
前記水位センサが前記水タンクの水位が所定値未満であることを検出した場合には、前記水タンクに水を補給するとともに、前記パッドを前記水吸収位置に設定するように制御する制御手段と、
を具備することを特徴とする封緘装置。
【請求項２】
前記制御手段は、前記水位センサが前記水タンクの水位が所定値未満であることを検出した場合には、前記パッドが前記水塗布位置にある状態で前記水タンクに水を補給し、前記水位センサが前記水タンクの水位が所定値を超えたことを検出した後に、前記パッドを前記水吸収位置に設定するように制御することを特徴とする請求項１記載の封緘装置。
【発明の詳細な説明】
【技術分野】
【０００１】
本発明は、封筒の開口部分に予め塗布されている再湿糊に水を塗布して封緘する封緘装置に係り、特に新品の使用開始後や長期間の放置後に水を供給して再稼働する際にも速やかにパッドが湿潤されるようにした封緘装置に関するものである。
【背景技術】
【０００２】
必要な内容物等を封筒に入れて封緘する作業を自動的に行なう封緘装置と呼ばれる装置が知られている。下記特許文献１には、このような封緘装置の一例として、封書作成装置の発明が開示されている。この封書作成装置は、封筒用紙と、必要な内容物用紙に対してそれぞれ印刷部で必要な印刷を施した後、これら各用紙に必要な折りを加えて封筒内に内容物を包み込む機構を備えている。そして、これら用紙を加水手段に搬送し、封筒用紙に予め塗布しておいた再湿糊の部分に水を塗布して接着力を生じさせ、さらにこれをローラで挟持して搬送することで封筒の開口部を接着して封緘を行ない、封書を完成させるようになっている。
【０００３】
特許文献１に開示された封書作成装置において、封筒用紙の再湿糊に水を塗布する加水手段は、水を貯えた水タンクと、その内部で水に浸漬した吸水部を備えている。図８及び図９は、この種の封緘装置に設ける加水手段として本願出願人が特願２０１３−１９３１６３号において提案したものである。この加水手段は、水タンク２００と、その内部で板金２０１、２０２に挟持された状態で水に浸漬するように配置された吸水部２０３を備えている。そして、これらの図には示していないが、図８及び図９に示す如き吸水部２０３の上方には、揺動アームと呼ばれる上下動自在の部材が設けられている。封緘前の封筒を搬送手段で吸水部の上方に搬送し、再湿糊の部分が吸水部の直上になるように封筒を位置決めし、毛細管現象によって水が充填されている吸水部２０３に揺動アームで封筒を押しつければ、再湿糊に水を塗布することができる。
【０００４】
また、この加水手段は、図９〜図１１に示すように、水タンク２００内に水位を検知するフロートセンサ３００が設置されており、図１０に示すように水タンク２００内に規定量以上の水がある場合にはフロートが上がり、フロートセンサ３００がＯＮとなって「水あり」を検出する。また図１１に示すように水タンク２００内に水がない場合にはフロートが下がり、フロートセンサ３００がＯＦＦとなって「水なし」を検出することができる。そして、「水なし」が検出された場合には、これをユーザーに報知して水補給を促す。
【先行技術文献】
【特許文献】
【０００５】
【特許文献１】特開２０１３−７１７５９号公報
【発明の概要】
【発明が解決しようとする課題】
【０００６】
本願出願人が提案した図８〜図１１に示す封緘装置の加水手段では、吸水部２０３は水タンク２００内の水に浸されており、毛細管現象による水の浸透で湿潤され、最上部の端面である水塗布面に封筒の再湿糊を押し付けて水を塗布するようになっている。このように吸水部２０３は水と接触している面から水を吸収して水塗布面まで毛細管現象で吸い上げるため、再湿糊に水を塗布する最上部の水塗布面にまで水を湿潤させるのには相応の時間を要し、例えば新品の封書作成装置について使用を開始する場合や、使用中の封書作成装置を長期間放置して水タンク２００内及び吸水部２０３が乾燥した状態になっている場合には、水タンク２００に規定量の水を供給しても吸水部２０３が細管現象で湿潤して封筒用紙の再湿糊に適正に水塗布ができる状態になるまでには例えば５〜１０分程度の時間がかかるため、直ちに封緘動作を行うことができないという問題があった。
【０００７】
本発明は、このような課題に鑑みてなされたものであり、封筒の再湿糊に水を塗布して封筒の封緘を行なう封緘装置において、新品の使用開始時や長期間の放置後に使用を再開する場合のように吸水部が乾燥していても、当該吸水部を短時間でむらなく均等に水で湿潤させることができるようにすることを目的としている。
【課題を解決するための手段】
【０００８】
請求項１に記載された封緘装置は、
必要に応じて水が供給される水タンクと、
前記水タンク内に配置されて一部が水に浸漬されるとともに水面よりも上方に位置する上端部に封筒の再湿糊を接触させて水を塗布するパッドと、
前記水タンクに設けられて前記水タンク内の水位を検出する水位センサと、
封筒の再湿糊に前記上端部を接触させる上方の水塗布位置と、前記水タンクの水に前記上端部を除いて浸漬される水吸収位置との間で、前記パッドを前記水タンクに対して相対的に移動させる移動機構と、
前記水位センサが前記水タンクの水位が所定値未満であることを検出した場合には、前記水タンクに水を補給するとともに、前記パッドを前記水吸収位置に設定するように制御する制御手段と、
を具備することを特徴としている。
【０００９】
請求項２に記載された封緘装置は、請求項１記載の封緘装置において、
前記制御手段は、前記水位センサが前記水タンクの水位が所定値未満であることを検出した場合には、前記パッドが前記水塗布位置にある状態で前記水タンクに水を補給し、前記水位センサが前記水タンクの水位が所定値を超えたことを検出した後に、前記パッドを前記水吸収位置に設定するように制御することを特徴としている。
【発明の効果】
【００１０】
請求項１に記載された封緘装置によれば、封筒の再湿糊に上端部で水を塗布する上方の水塗布位置と、この上端部以外の部分が水タンクの水に浸漬される相対的に下方の水吸収位置との間で、パッドを移動できるように構成し、水タンク内の水位が所定値未満である場合には水を補給し、パッドを水吸収位置に設定する。このため、水タンク内に水が無くパッドが乾燥している場合には、上端部を除くパッドの全体を水中に沈めた状態として毛細管現象で水を速やかにパッドに浸透させ、水塗布面に外側から水を付けることなく適正な水塗布を行える状態にすることができる。この場合、パッドの上端部は水に漬かっていないので、封筒の再湿糊に水を塗布する場合に過剰な量の水を塗布して接着状態に不備を生じたりする恐れがない。従って、封筒の再湿糊に水を塗布して封筒の封緘を行なう封緘装置において、新品の使用開始時や長期間の放置後に使用を再開する場合のようにパッドが乾燥している状態であっても、当該パッドを短時間でむらなく均等に水で湿潤させて短時間で封緘作業を開始し、良好な接着状態を得ることができる。
【００１１】
仮に、センサが水無しを検知した後、直ちにパッドを水吸収位置に設定し、その後、水を供給してセンサが水有りを検知してから所定時間後にパッドを再び水塗布位置に設定することにすると、実際にはパッドは所定時間を越える時間、水に漬けられていたこととなる。パッドを所定の湿潤状態にするために水に浸しておくべき所定時間を予め定めておいたとしても、上述のような手順では、パッドの湿潤状態が前記所定時間に対応する規定の状態になっていない可能性がある。しかし、請求項２に記載された封緘装置によれば、水無しが検出された場合には、まずパッドが水塗布位置にある状態で水タンクに規定量の水を補給して水有りの状態にし、その後にパッドを水塗布位置から水吸収位置に設定し、所定時間が経過したら再び水塗布位置に戻すようにしている。従って、満水状態の水タンク内の水にパッドを上端部を除いて浸漬している時間を正確に管理することができ、パッドの湿潤状態を前記所定時間に対応する規定の状態にすることができる。
【図面の簡単な説明】
【００１２】
【図１】本発明の実施形態である封緘装置の全体的な構成を正面側から透視して示した模式的構成図である。
【図２】実施形態の封緘装置が有する水塗布処理部の一部を断面とし、可動ガイド板が用紙受け入れ位置にある状態を示した拡大正面図である。
【図３】実施形態の封緘装置が有する水塗布処理部の一部を断面とし、可動ガイド板が水塗布位置にある状態を示した拡大正面図である。
【図４】実施形態において水塗布処理部が有する水タンク及びパッドの構造を示すために一部を切り欠いて示した斜視図である。
【図５】実施形態において水塗布処理部が有する水タンク及びパッドの構造を示すために一部を切欠いて示した側面図である。
【図６】実施形態の封緘装置が有する水塗布処理部において、パッドが水塗布位置に設定された状態を示す断面図である。
【図７】実施形態の封緘装置が有する水塗布処理部において、パッドが吸水位置に設定された状態を示す断面図である。
【図８】本願出願人が本願以前に提案した封緘装置において水塗布処理部が有する水タンク及びパッドの構造を示すために一部を切り欠いて示した斜視図である。
【図９】本願出願人が本願以前に提案した封緘装置において水塗布処理部が有するパッドの構造を示すため水タンクの一部を切り欠いて示した斜視図である。
【図１０】本願出願人が本願以前に提案した封緘装置が有する水塗布処理部を示す断面図である。
【図１１】本願出願人が本願以前に提案した封緘装置が有する水塗布処理部のフロートセンサを示す断面図である。
【発明を実施するための形態】
【００１３】
図１〜図７を参照して本発明の封緘装置を備えた実施形態の封書作製装置について説明する。
１．封書作製装置について
図１を参照して本実施形態の封書作製装置１の全体構成を説明する。
図１に示すように、本実施形態の封書作製装置１は、内容物となる用紙Ｐ１〜Ｐ３や封筒フォームＰＥに対して所定の印刷処理を施す印刷装置１１０と、印刷装置１１０で所定の印刷処理が施された内容物Ｐや封筒フォームＰＥに必要な折りを施した後に封筒フォームＰＥで内容物Ｐを包み込むように封入、封緘して封書を作製する封緘装置１２０とで構成されている。
【００１４】
(1) 印刷装置について
印刷装置１１０は、封筒フォームＰＥや内容物となる用紙Ｐ１〜Ｐ３に所定の印刷処理を施して後段の封緘装置１２０に送り出す装置である。
印刷装置１１０の筐体の内部又は側面等には、封筒となる封筒フォームＰＥと、封筒の内容物となる複数種類の枚葉状の用紙Ｐ１〜Ｐ３とを収納し、所定のタイミングで給紙する給紙部１１１と、導入路１１２から受け入れた用紙を搬送するループ状の搬送経路１１３と、シアン（Ｃ）、ブラック（Ｋ）、マゼンタ（Ｍ）、イエロー（Ｙ）の各色のインクをそれぞれ吐出する搬送経路１１３に沿って設けられた４つのインクジェットヘッドＣ、Ｋ、Ｍ、Ｙからなる印刷手段１１４と、用紙を封緘装置１２０に排出する第１の排出路１１５と、用紙をループ外に排出する第２の排出路１１６と、搬送経路１１３を搬送されてきた用紙を受け入れた後に逆行させて搬送経路１１３に戻して用紙の上下を反転させるスイッチバック路１１７が設けられている。
【００１５】
(2) 封緘装置について
封緘装置１２０は、封筒フォームＰＥ及び内容物となる用紙Ｐ１〜Ｐ３に対して必要な折りを施し、封筒フォームＰＥで内容物Ｐを包み込むことにより封筒に内容物を封入した状態とし、これを封緘して封書を作製する装置である。なお、本実施例では搬送する封筒フォームＰＥの第１折り位置及び第２折り位置で三つ折りにしながら内容物Ｐを包み込むように収容する装置であるが、これは単なる一例であり、封筒フォームＰＥの折り状態（例えば二つ折りや四つ折り）や内容物の折り方や内容物の有無は特に限定されない。
【００１６】
封緘装置１２０は、用紙Ｐ１〜Ｐ３を搬送しながら必要に応じて所定の折りを施して内容物とする内容物折り部１２１と、封筒となる封筒フォームＰＥを搬送しながら必要に応じて所定の折りを施すことで封筒を形成していく封筒フォーム折り部１２２と、搬送に伴って封筒フォームＰＥで内容物を包み込んで封緘前の封筒を形成していく収容部１２３と、収容部１２３で内容物が収容された封緘前の封筒フォームＰＥに折りを施してフラップを形成し、封筒形状にするフラップ折り部１２４と、封筒フォームＰＥに予め転写されている再湿糊に水を塗布する水塗布処理部１２５と、ローラで挟持搬送することにより水塗布後の封筒を封緘する封緘部１２６と、封緘処理された封書を装置の筐体の外部まで上昇させた後、排出トレイ１２７ａまで水平に排出搬送する排出部１２７とを備えている。
【００１７】
２．封緘装置の水塗布処理部の構成等について
前述した封緘装置の水塗布処理部１２５について図２〜図７を参照して説明する。封緘装置１２０の水塗布処理部１２５は、必要な内容物を包み込んだ封筒用紙を封緘するために、封筒用紙の所定位置に予め塗布された再湿糊に水を塗布し、接着力を生じさせるための装置である。
【００１８】
図２及び図３に示すように、この水塗布処理部１２５は、底板２の上に保持部材３を介して設置された水タンク４を有している。この水タンク４は、図４及び図５にも示すように、搬送されてくる封筒の幅方向を長手方向とする略直方体状の箱体であり、その上面は開放されている。なお、図４及び図５では、水タンク４内の構造を見易くするため、水タンク４の長手方向に平行な長辺側の一面（図示手前側）と、同方向に直交する短辺側の一面（図示右側）を仮想的に除去し、図４においては除去した部分の外形を鎖線で示している。
【００１９】
図４及び図５に示すように、この水タンク４は上述した通り概ね略直方体状の箱体であるが、その長手方向の一端部は底板が底上げされて深さが他の部分の半分程となった段部５０とされており、この段部５０には水タンク内の水位を検知する水位センサとしてのフロートセンサ５が設けられている。フロートセンサ５は、段部５０の底板上に垂直に取り付けられた軸５１と、この軸５１に上下動自在に挿通された円筒形の浮体５２を備えている。水タンク４内に水が所定量以上貯えられ、水タンク４内の水面が段部５０の底板の高さを越える位置まできて、浮体５２が上限位置まで浮き上がった場合には、フロートセンサ５は図示しないスイッチがＯＮとなって水有りを検知する。水タンク４内の水が所定量未満となり、浮体が上限位置よりも低下した場合には、フロートセンサ５は図示しないスイッチがＯＦＦとなって水無しを検知する。
【００２０】
そして、実施形態の水塗布処理部１２５では、フロートセンサ５がＯＦＦ信号を出力して水無しを検知した場合、図示しない制御手段が図示しない表示手段等でユーザーに水無しを報知する。ユーザーは、この報知に答えて図２及び図３に示す補給タンク５５から水タンク４に水を供給する作業を手動操作で行うことができる。又は、フロートセンサ５がＯＦＦ信号を出力して水無しを検知した場合、図示しない制御手段がフロートセンサ５からのＯＦＦ信号を受けて、補給タンク５５の補給バルブ等を操作する信号を出力し、補給タンク５５から水タンク４に水を自動的に供給するようにしてもよい。なお、このような水の補給制御は、封緘装置１２０の制御手段が行ってもよいし、封緘装置１２０の中の水塗布処理部１２５に設けられた制御手段が行ってもよい。
【００２１】
図４及び図５に示すように、水タンク４の内部には、封筒の再湿糊に水を塗布する水塗布部材としてのパッド６が設けられている。パッド６は、毛細管現象による水の吸い上げ性能が相対的に高い内側の第１パッド部材７を、毛細管現象による水の吸い上げ性能が相対的に低い外側の第２パッド部材８で包み、両者を接触させて一体的に形成したものである。
【００２２】
内側の第１パッド部材７は、気孔径が相対的に小径に形成されており、例えば気孔径が２０μｍ〜６０μｍのスポンジ、例えばポリウレタン樹脂等の連続多孔質構造のスポンジで構成することにより、水の吸い上げ量は少ないものの、毛細管現象による水の吸い上げが良好となっている。第１パッド部材７は全体として矩形の薄板状である。第１パッド部材７の幅寸法、すなわち封筒の搬送方向と直交する方向（封筒の幅方向）の寸法は、水塗布の対象となる封筒の最大幅よりもやや大きく設定されている。
【００２３】
第２パッド部材８は、気孔径が相対的に小径、すなわち第１パッド部材７の気孔径よりも大径に形成されており、例えば気孔径が４０μｍ〜１００μｍのスポンジを用いることにより、重力の影響により毛細管現象による水の吸い上げは良好とは言えないものの、水の吸い上げ量は第１パッド部材７よりも多くなっている。第２パッド部材８も全体として矩形の薄板状であり、第１パッド部材７と同様の材質のスポンジで構成することができる。第２パッド部材８の幅寸法は第１パッド部材７と略同一であるが、第２パッド部材８の縦の長さは第１パッド部材７の縦の長さの略２倍以上ある。
【００２４】
図４、図５に示すように、パッド６は第１パッド部材７を芯にして、第１パッド部材７の一部を第２パッド部材８で包んで密着一体化した構造となっており、さらに具体的には、一枚の第１パッド部材７を、その上端部の側から、第１パッド部材７よりも縦の長さが略２倍の大きさである一枚の第２パッド部材８で挟み込むことにより、第１パッド部材７の上端部及び封筒の搬送方向に直交する２つの表面の大部分を第２パッド部材８で覆い隠している。なお、第２パッド部材８に挟み込まれた内部の第１パッド部材７は、その下端部が第２パッド部材８よりも下方に若干突出しており、またその幅方向の二端面では外部に露出している。このように構成されたパッド６の上端部には、複数の凹部９が形成されている。
【００２５】
図４及び図５に示すように、パッド６は、固定又は保持手段である第１固定板１５及び第２固定板１６によって上端部２０が略へ字形に形付けられ、上端部２０よりも下方の部分を鉛直に保った状態で水タンク４内に配置されている。第１固定板１５は、パッド６の上端部２０を固定保持する横長平板状の固定部１７と、固定部１７の一縁に対して所定角度となるように固定部１７に連続して形成された矩形の保持枠部１８を有している。また、第１固定板１５の固定部１７と、第２固定板１６には、パッド６の上端部２０の各凹部９等に対応するように略同形状の切欠きが形成されている。第１固定板１５の固定部１７と第２固定板１６によってパッド６の上端部２０を挟み込んで固定手段で固定し、パッド６の下端部２１の側を第１固定板１５の保持枠部１８に挿通させる。これによって、図４及び図５に示すように、パッド６の上端部２０の端面は、第１固定板１５の固定部１７と第２固定板１６の間からやや先方に突出し、かつパッド６は上端部２０の側と下端部２１の側との間で所定の角度に曲げられた状態となる。
【００２６】
このような状態にパッド６を保持した第１固定板１５の固定部１７は、図示しない昇降機構の駆動部に取り付けられており、昇降機構は制御手段によって駆動されるようになっている。制御手段は、封緘装置１２０の制御手段でもよいし、封緘装置１２０の中の水塗布処理部１２５に設けられた制御手段であってもよい。当該制御手段による当該昇降機構の制御により、パッド６は、図６及び図７に示すように下端部の側を鉛直とし、上端部２０を斜め上方に向けた状態を保ちながら、水タンク４内において上下方向に自在に移動することができる。
【００２７】
図６は、パッド６が水タンク４に対して相対的に上方の位置である水塗布位置に設定されている状態を示している。この図６では、水タンク４内の水が所定値をわずかに越えた状態である。浮体は水に浮いた状態で上限位置にあってフロートセンサ５のスイッチはＯＮ信号を出力しており、水有りを検知している。この状態から水が減少すれば、浮体は上限位置から下降してスイッチはＯＦＦ信号を出力し、水無しが検知される。この水無しを意味するフロートセンサ５のＯＦＦ信号を利用すれば、水がない水タンク４に補給タンク５５からユーザーの手動又は制御手段の自動操作によって水を補給することができる。
【００２８】
図７は、パッド６が水タンク４に対して相対的に下方の位置である水吸収位置に設定されている状態を示している。この図７では、水タンク４内の水は所定値を越えており、満杯状態である。浮体５２は水中で上限位置にあってフロートセンサ５のスイッチはＯＮ信号を出力しており、水有りを検知している。この状態では、パッド６のほぼ全体が水タンク４内の水中に没しているが、封筒の再湿糊に水を塗布するパッドの上端部２０だけは水の上にあり、この上端部２０には水が外側から直接塗布されない状態にある。従って、水タンク４内の水量が図６に示す状態からさらに減少し、水タンク４内の水が規定量を下回った場合には、上述したように補給タンク５５から水タンク４内にフロートセンサ５がＯＮ信号を出力するまで水を供給し、水タンク４内を水で満杯とする。そして、その後で図７に示すようにパッド６を水塗布位置から水吸収位置に移動し、上端部２０を除くパッド６の全体を水中に沈めた状態とする。そして、この状態を所定時間だけ維持した後、再度パッド６を水塗布位置に戻す。このようにすれば、パッド６に対する水の湿潤を所期の好ましい状態にすることができる。すなわち、予め実験等で定めた結果等に基づき、パッド６の所定範囲を所定時間だけ水中に浸漬し、毛細管現象で水を速やかにパッド６に浸透させれば、パッド６の材質等で決まる所定量の水をパッド６に含ませることができ、仮にパッド６が乾燥していても、当該パッド６を速やかに適正な水塗布を行える状態にすることができる。一方で水塗布面には外側から水を付けることがないので、封筒の再湿糊に過剰な量の水を塗布してしまう好ましくない状態になることはない。これにより、新品の使用開始時や長期間の放置後に使用を再開する場合のようにパッド６が乾燥している状態であっても、当該パッド６を短時間でむらなく均等に水で湿潤させて短時間で封緘作業を開始し、良好な接着状態を得ることができる。
【００２９】
このように水塗布位置と水吸収位置との間でパッド６を昇降させる昇降機構は、パッド６を自在に上下動させることができるものであれば、特に駆動原理や機構の如何は問わず、公知のあらゆるアクチュエータや駆動機構を応用することができる。一例を挙げれば、パッド６を挟持している第１固定板１５と第２固定板１６を所定の範囲内で上下動できるように案内部材等で案内しておき、これら固定板と装置中の不動部分をばね等の付勢手段で連結し、パッド６を図６に示す水塗布位置から図７に示す水吸収位置に移動するとパッド６に水塗布位置に戻ろうとする上向きの力が生じるようにする。そして、パッド６にソレノイドのような直動式のアクチュエータを取り付けて案内手段に沿って水塗布位置から水吸収位置に移動できるようにする。パッド６は、アクチュエータを駆動しない常時には図６の水塗布位置にあり、アクチュエータを駆動すれば下降して水吸収位置に設定される。アクチュエータへの通電を打ち切れば、パッド６はばねの付勢力で水吸収位置から水塗布位置に戻ることができる。
【００３０】
そして、この封緘装置１２０では、以下に説明するように、搬送されてくる封筒の表面と、パッド６の傾斜した上端部２０の端面は、互いに平行となっている。従って、封筒をパッド６に向けて押すことにより、封筒の開口部に塗布された再湿糊を、傾斜したパッド６の上端部２０の端面に押し付けることができ、パッド６に染みた水を再湿糊に塗布することができる。
【００３１】
図２及び図３に示すように、この水塗布処理部１２５は、以上説明したパッド６に対して封筒を位置決めし、その封筒を上述したようにパッド６に押し付けて封筒の再湿糊に水を付着させるための機構部を備えている。
【００３２】
保持部材３で保持された水タンク４の長手方向の両側には、一対の側板２２（Ｒ，Ｌ）が設けられている。側板２２（Ｒ，Ｌ）の間にはシャフト２３ａが掛け渡されており、シャフト２３ａには可動ブラケット２３が揺動自在に設けられている。可動ブラケット２３には、パッド６の凹部１２に対応する複数の位置に、その上面側で封筒の下面側を案内する複数本のアーム状の可動ガイド板２４がそれぞれ取り付けられており、さらにその上方には、可動ガイド板２４で案内された封筒を上から押さえつける押圧部材２５が取り付けられている。また、搬送される封筒の案内位置に設定された可動ガイド板２４の下流側には、下側ガイド板２６が設けられており、搬送される封筒の下側案内面を可動ガイド板２４と共に構成している。そして、可動ブラケット２３にはカムフォロア２７が設けられ、側板２２（Ｒ，Ｌ）には、このカムフォロア２７に係合して図示しないモータで回動するカム２８が設けられている。
【００３３】
可動ガイド板２４と下側ガイド板２６の上方には、可動ガイド板２４と共に揺動する押圧部材２５と干渉しないように、上側ガイド板２９が下側ガイド板２６と平行に配置されており、可動ガイド板２４及び下側ガイド板２６と上側ガイド板２９との間に封筒の搬送経路が構成されている。封筒の搬送経路は、パッド６の傾斜した上端部２０の端面と平行である。この上側ガイド板２９の上方には、上側ガイド板２９の端部を取り付け用のブラケットとして、封筒の搬送方向と平行に送りねじ軸３０が渡設されている。送りねじ軸３０にはナット部材３１が移動可能に螺合している。ナット部材３１には突き当て板３２が取り付けられている。突き当て板３２は、封筒の搬送経路内に突出しており、搬送されてきた封筒の先端が当接するようになっている。送りねじ軸３０はモータ３３に連動して所望の方向に回動できるようになっている。モータ３３を適宜に駆動すれば、ナット部材３１を軸方向の所望の位置に設定することができ、これによって封筒の搬送経路内で突き当て板３２を所望の位置に設定し、封筒のサイズ等に合わせて封筒の再湿糊の位置をパッド６の上端部２０の端面に位置決めすることができる。
【００３４】
図２に示すように、封筒４０を搬送する際には、可動ガイド板２４は、傾斜したパッド６の上端部２０よりも上方にあり、上側ガイド板２９と平行な封筒受け入れ位置に設定されている。この状態では、可動ガイド板２４及び下側ガイド板２６と上側ガイド板２９によって、パッド６の上端部２０の端面に平行な封筒の搬送経路が構成されている。また押圧部材２５は、上側ガイド板２９のさらに上方の待機位置にあるため、搬送経路内に搬入されてくる封筒４０に干渉することはない。
【００３５】
図３に示すように、封筒４０の再湿糊に水を塗布する際には、図２に示した位置からカム２８が回動することにより、封筒４０を下側から保持している可動ガイド板２４が下方に旋回して傾斜したパッド６の上端部２０の凹部１２に入り込む。可動ガイド板２４と共に下方に旋回した押圧部材２５は、封筒４０を上面側から下方に押さえて再湿糊の部分をパッド６の上端部２０の端面に押し付ける。これによってパッド６に浸潤している水が封筒４０の再湿糊に塗布される。
【００３６】
本実施形態の封緘装置１２０に設けられた水塗布処理部１２５によれば、パッド６は、毛細管現象による水の吸い上げ性能が相対的に高い第１パッド部材７を、毛細管現象による水の吸い上げ性能が相対的に低い第２パッド部材８で覆った一体構造となっている。図４に示すように、水中にあるパッド６の周縁部では第１パッド部材７が表面に露出しているので、第１パッド部材７は水タンク４内の水を広い吸水面積で効率的に吸収するとともに、水面上ではパッドの材質自体による良好な毛細管現象によって上端部２０まで水を迅速かつ確実に吸い上げることができる。また、封筒の再湿糊に接触するパッド６の上端部２０では、吸水性が相対的に低い第２パッド部材８が第１パッド部材７を覆い隠しているため水は蒸発しにくいが、そこに封筒が押しつけられれば内部の第１パッド部材７に含まれた水が外側の第２パッド部材８に速やかに浸透するので封筒の再湿糊に十分な量の水を転移、塗布することができる。
【００３７】
なお、装置の使用時間の経過につれて水タンク４内の水は減少していくが、水タンク４に設けたフロートセンサ５によって水位の減少を随時検出し、又は水量が限界を超えて低下した場合に水無しを報知することにより、ユーザーに必要な水の補給を促すことができる。ユーザーは、フロートセンサ５が水タンク４に規定量の水が補給されて水有りを検知するまで、補給タンク５５に貯えておいた水を手動で水タンク４に補給してもよいし、又は、制御手段によりフロートセンサ５の検知信号を利用して水タンク４に規定量の水を満たすように制御してもよい。
【００３８】
３．封緘装置の水塗布処理部の作用等について
次に、本実施形態における封緘装置１２０の水塗布処理部１２５による作用についてさらに詳細に説明する。
水塗布処理部１２５が作動中で、パッド６が水塗布位置にある状態で水切れとなった場合を説明する。フロートセンサ５がＯＦＦ信号を出力して水無しを検知する。制御手段がパッド６の位置を確認して使用中の水切れであると判断すると、ユーザーに水無しを報知するか又は自動的に水タンク４に対する水補給を開始する。その後、フロートセンサ５がＯＮ信号を出力して水有りを検知すると、制御手段は水の補給を停止し、パッド６を水吸収位置に下げ、所定時間だけ浸漬した後、パッドを再度水塗布位置に設定する。水塗布処理部１２５は封筒に対する水塗布処理を続行することができる。
【００３９】
なお、この場合は、最初に水切れとなった時点ではパッド６にはある程度の水が含まれており、完全に乾燥していたわけではないため、満水とした水タンク４中の水にパッド６を漬ける時間は、パッド６が乾燥している場合に比べて短い時間とする。この時間は実験等により予め定めておくことができる。
【００４０】
封緘装置１２０が長く放置されて水タンク４が空でパッド６が乾燥している場合や、新品の封緘装置１２０のように、補給タンク５５には水があるが水タンク４には水がない状態の封緘装置１２０を新たに使用し始める場合を説明する。なお、この種の封緘装置では、長期間不使用の場合には水タンク４から水を抜いておくことが推賞されているのが普通である。装置の電源をＯＮとすると、制御手段はフロートセンサ５のＯＦＦ信号を確認して水無しを検知する。制御手段はパッド６の位置を確認して必要があればパッド６を水塗布位置に設定し、ユーザーに水無しを報知して水補給を促すか又は自動的に水タンク４に対する水補給を開始する。フロートセンサ５がＯＮ信号を出力して水有りを検知すると、制御手段は水の補給を停止し、パッド６を水吸収位置に下げ、所定時間だけ浸漬したらパッド６を水塗布位置に設定する。
【００４１】
なお、この場合は、パッド６が乾燥しているため、使用中に水切れとなった場合に比べて水に漬ける時間は相対的に長い時間とする。この時間も実験等により予め定めておくことができる。
【００４２】
以上説明したように、本実施形態の封書作製装置に設けられた封緘装置１２０の水塗布処理部１２５によれば、水タンク４に水がなく、パッド６が乾燥している状態にあっても、可及的に短い時間でパッド６を適正な状態に湿潤させ、封筒の再湿糊への水塗布を速やかに適正な状態で行えるようにすることができる。このような効果の大きさは、本願出願人が特願２０１３−１９３１６３号において提案し、図８及び図９を参照して先に説明した封緘装置の発明による効果に比べても顕著であり、新品の使用開始時や長期間の放置後に使用を再開する場合において、乾燥したパッド６を短時間でむらなく均等に水で湿潤させて短時間で封緘作業を開始し、良好な水塗布状態及び接着状態を得ることができる点においてはるかに優れている。
【００４３】
以下に、本実施形態が優れている点についてさらに説明する。
第１に、パッド６を水に浸漬する時間が正確に管理できる点が挙げられる。
すなわち、仮にフロートセンサ５が水無しを検知した後、水タンク４内に水を供給する前、又は水の供給を始めてから満杯になる前の段階で、先にパッド６を水吸収位置に設定したとする。そして、その後、フロートセンサ５が水有りを検知して水タンク４が満杯になってから、予め定めた所定時間をカウントし、その後にパッド６を再び水塗布位置に設定することにしたとする。しかし、このような手順によれば、パッド６は実際には所定時間を越える時間、水に漬けられていたことになり、またパッド６を水吸収位置に設定するタイミングによっても水に浸漬されていた時間が変わってくるため、パッド６の湿潤状態は前記所定時間に対応する一定の状態にはなっていない。
【００４４】
しかしながら、本実施形態のように、予め実験等で定めた結果等に基づき、パッド６の乾燥状態に応じ、パッド６の所定範囲を所定時間だけ水中に浸漬し、毛細管現象で水を速やかにパッド６に浸透させれば、パッド６の材質等で決まる所定量の水をパッド６に含ませることができる。このため、水塗布途中で水切れになった場合には速やかに作業を続行できる。また、仮にパッド６が乾燥していた場合には、当該パッド６を速やかに適正な水塗布を行える状態にできるので、新品の使用開始時や長期間の放置後に使用を再開する場合にも、遅滞無く封緘作業を開始して良好な接着状態を得ることができる。
【００４５】
第２に、パッド６のどの部分を水に漬けるかを規定して水塗布に適した湿潤状態を実現している点が挙げられる。
すなわち、本実施形態のパッド６は上端部２０の端面を封筒に接触させて水を塗布するため、パッド６には適当な量の水がむらなく湿潤している必要があるが、封筒に直接接触する上端部２０の端面に多くの水が付着している状況は好ましくない。封筒に過剰な量の水が付くと封筒自体が水を吸収して変形したり、破損する場合もあり、再湿糊の接着力も最適な状態で発揮されなくなる可能性があるからである。一方、パッド６に含まれる水の量は略その材質で決まり、毛細管現象で吸水する速度は水に接する面積や浸漬時間等に対応するので、水を速やかに湿潤させる目的からは、上端部２０の端面以外を除き、なるべく全体を水中に浸漬させる必要がある。
【００４６】
本実施形態の封緘装置によれば、水無しが検出された場合には、パッド６を水塗布位置においた状態で水タンク４に規定量の水を補給して水有りの状態にし、その後でパッド６を水塗布位置から水吸収位置に設定し、水タンク４内の水にパッド６を上端部２０を除いて浸漬した状態にする。このため、前述した浸漬時間の管理と相俟って、パッド６には適当な量の水がむらなく湿潤する一方、封筒に直接接触する上端部２０の端面に水が付着することはないため水塗布作業が適正に行われ、封筒の封緘部分において良好な品質を得ることができる。
【符号の説明】
【００４７】
１…封書作成装置
４…水タンク
５…水位センサとしてのフロートセンサ
６…パッド
７…第１パッド部材
８…第２パッド部材
１２０…封緘装置
１２５…水塗布処理部
ＰＥ…封筒作成用紙としての封筒フォーム
【図１】
2015117050.tif 000003
【図２】
2015117050.tif 000004
【図３】
2015117050.tif 000005
【図４】
2015117050.tif 000006
【図５】
2015117050.tif 000007
【図６】
2015117050.tif 000008
【図７】
2015117050.tif 000009
【図８】
2015117050.tif 000010
【図９】
2015117050.tif 000011
【図１０】
2015117050.tif 000012
【図１１】
2015117050.tif 000013